(57)【要約】【課題】違和感を生じないクリック感触が得られると共に、スイッチ部分の形状を小さくすることができるスイッチ付可変抵抗器の提供。【解決手段】クリック機構を、クリック部材５３とクリック用板ばね５４とを備えた構成にし、抵抗器ユニットを、抵抗基板５７ｋと、接点５８ａ１を含む第１摺動子とを備えた構成にし、ロータリスイッチを、接点基板である第２絶縁ケース５９と、接点５８ｄ１を含む第２摺動子を備えた構成にし、回転軸５２を回転させると、接点５８ｄ１が接点基板部５９ｋ上を摺動してスイッチが切替えられると共に、クリック用板ばね５４の第２膨出部５４ｄがクリック部材５３の突起部５３ｂに係脱し、続いてクリック用板ばね５４の第１膨出部５４ｃがクリック部材５３の係合突起５３ａに係脱し、それぞれ異なるクリック感触が生起されるようにした。【選択図】図１
2006186061.tif 000002
【特許請求の範囲】
【請求項１】
固定部材と、この固定部材に対して回転可能に保持された回転軸を含む回転部材と、
上記固定部材及び上記回転部材のいずれか一方に一体的に設けられ、複数の凹凸部から成る係合突起と、上記回転軸の回転末端近傍に相応する位置に配置される突起部とを有するクリック部材と、
上記固定部材及び上記回転部材のいずれか他方に設けられ、上記クリック部材の上記係合突起及び上記突起部と係脱してクリック感触を生起させる膨出部を有するクリック用板ばねと、
抵抗体パターンが形成された抵抗基板と、上記回転軸の回転によって上記抵抗基板の上記抵抗体パターン上を摺動する第１摺動子と、
上記回転軸の上記回転末端近傍で、スイッチ切替動作を行なうロータリスイッチとを備え、
上記ロータリスイッチは、固定接点が形成された接点基板と、上記回転軸の回転に伴って回転し、可動接点を形成する第２摺動子とを有し、
上記回転軸を回転させると、上記第２摺動子が上記接点基板上を摺動してスイッチの切替えが行なわれると共に、上記クリック用板ばねの上記膨出部が上記クリック部材の上記係合突起、あるいは上記突起部に係脱してクリック感触が生起されるようにしたことを特徴とするスイッチ付可変抵抗器。
【請求項２】
上記請求項１記載の発明において、
上記クリック用板ばねは、上記係合突起に係脱する第１膨出部と、上記突起部に係脱する第２膨出部とを有する一枚の金属板から成ることを特徴とするスイッチ付可変抵抗器。
【請求項３】
上記請求項２記載の発明において、
上記第１膨出部が両端支持の第１弾性腕に設けられ、上記第２膨出部が両端支持の第２弾性腕に設けられると共に、
上記第１膨出部と上記第２膨出部とを、上記回転軸を挟んで対向する位置に配置したことを特徴とするスイッチ付可変抵抗器。
【請求項４】
上記請求項２または３記載の発明において、
上記第２膨出部を上記第１膨出部よりも大きな形状に形成したことを特徴とするスイッチ付可変抵抗器。
【請求項５】
上記請求項４記載の発明において、
上記係合突起を断面三角形状に形成し、上記突起部を断面台形形状に形成すると共に、
上記第１膨出部を断面円弧状に形成し、上記第２膨出部を断面台形形状に形成したことを特徴とするスイッチ付可変抵抗器。
【請求項６】
上記請求項２〜５のいずれか１項記載の発明において、
上記複数の凹凸部から成る係合突起に連設させてこの係合突起の凸部よりも低い高さに設定される平坦状の裾部を備え、
上記第２膨出部が上記突起部と係脱する間、上記第１膨出部が上記裾部上に位置するように設定したことを特徴とするスイッチ付可変抵抗器。
【請求項７】
上記請求項２記載の発明において、
上記第１膨出部と上記第２膨出部とを、上記回転軸の回転軸線から略同一半径上の位置に配置したことを特徴とするスイッチ付可変抵抗器。
【請求項８】
上記請求項２〜７のいずれか１項記載の発明において、
上記抵抗基板と上記接点基板とをユニット化したことを特徴とするスイッチ付可変抵抗器。
【発明の詳細な説明】
【技術分野】
【０００１】
本発明は、スイッチユニットと抵抗器ユニットとを有すると共に、回転軸を回転させた際にクリック感触を生起させるクリック機構を有するスイッチ付可変抵抗器に関する。
【背景技術】
【０００２】
この種の従来技術として、例えば特許文献１に記載の技術がある。図１１〜１４は、この特許文献１に記載されるスイッチ付可変抵抗器を示す図で、図１１は側断面図、図１２は図１１に示すスイッチ付可変抵抗器に備えられるスイッチユニットを示す平面図、図１３は図１１に示すスイッチ付可変抵抗器に備えられるクリック板を示す平面図、図１４は図１１に示すスイッチ付可変抵抗器に備えられるクリック機構の動作説明図である。
【０００３】
これらの図１１〜１４に示される従来技術は、軸受１と、この軸受１に回転可能に保持される回転軸すなわち操作軸２と、この操作軸２の回転に伴って作動するクリック機構３と、スイッチユニット４と、抵抗器ユニット５とを備えている。
【０００４】
クリック機構３は、操作軸２と一体に回転するクリック板６と、第１の筐体７に固定される板ばね８とから成っている。クリック板６には、図１３，１４に示すように、平坦部９に連設され、板ばね８の膨出部１２が係脱する突起部１０と、この突起部１０から離れて設けられ、複数の凹凸部から成り、板ばね８の膨出部１２が係脱する係合突起１１ａ〜１１ｃとが備えられている。
【０００５】
図１１に示すように、スイッチユニット４は、操作軸２と一体に回動する駆動体１３と、この駆動体１３によって駆動され、支持軸２１に支持される絶縁カム１４と、第２の筐体１７に一体化された絶縁基板１８と、図１２に示すように、一方の端子１５に常時接続され、他方の端子１６に接離する可動接片１９と、一端が絶縁カム１４に係止され、他端が可動接片１９に係止される反転用の線ばね２０とを備えている。
【０００６】
図１１に示すように、抵抗器ユニット５は、操作軸２と一体に回動する摺動子受２２と、この摺動子受２２の両面に取り付けられた摺動子２３，２４と、これらの摺動子２３，２４が摺動する抵抗体を有し、第３の筐体２５に一体化される抵抗基板２８，２９と、これらの抵抗基板２８，２９のそれぞれと接続される端子２６，２７とを備えている。
【０００７】
このように構成される従来技術は、操作軸２が初期位置にあるときには、スイッチユニット４の絶縁カム１４は図１２に示す状態に保持され、クリック機構３の板ばね８の膨出部１２は、図１４に示すクリック板６の平坦部９の点Ａに静止している。
【０００８】
この状態から操作軸２を順回転させると、スイッチユニット４の駆動体１３が回転し、これに伴って絶縁カム１４が図１２の反時計方向に回動し、絶縁カム１４が所定量回転した時点で、線ばね２０の弾発力によりこの絶縁カム１４がスナップ動作して、可動接片１９が端子１６に接触する。これにより、端子１５と端子１６とが可動接点１９を介して、スイッチユニット４はオフからオンに切替えられる。
【０００９】
引き続いて操作軸２を順回転させると、抵抗器ユニット５の摺動子受２２の回転に伴って、この摺動子受２２に取り付けられた摺動子２３，２４のそれぞれが、抵抗基板２８，２９の抵抗体上を摺動する。これによって抵抗器ユニット５から操作軸２の回転量に応じた信号が出力される。
【００１０】
また、上述のように操作軸２を回転させ、スイッチユニット４の線ばね２０を介して絶縁カム１４をスナップ動作させた際に、クリック感触が生じると共に、この絶縁カム１４のスナップ動作による可動接片１９と端子１６との接触動作と同期して、クリック機構３の板ばね８の膨出部１２が図１４に示すクリック板６の突起部１０に係脱して、スイッチオンに相応するクリック感触が得られるようになっている。すなわち、絶縁カム１４のスナップ動作による第１クリック感触と、板ばね８の膨出部１２がクリック板６の突起部１０に係脱することによる第２クリック感触とが合成されたクリック感触が得られるようになっている。さらに操作軸２を順回転させると、クリック機構３の板ばね８の膨出部１２がクリック板６の係合突起１１ａ〜１１ｃに係脱し、操作軸２の回転に応じた、すなわち抵抗器ユニット５の信号出力に応じたクリック感触が得られるようになっている。
【特許文献１】実用新案登録第２５８２８２４号公報
【発明の開示】
【発明が解決しようとする課題】
【００１１】
上述のように特許文献１に示される従来技術は、スイッチユニット４をオンにする際に、絶縁カム１４のスナップ動作による第１クリック感触と、クリック機構３の板ばね８の膨出部１２がクリック板６の突起部１０に係脱する第２クリック感触との合成したクリック感触が得られるようになっている。しかし、この従来技術では、上述の第１クリック感触が得られる時点と、上述の第２クリック感触が得られる時点との間にずれを生じる懸念がある。このようなクリック感触のずれを生じた場合には、得られるクリック感触に違和感を生じてしまう。
【００１２】
また、上述した従来技術は、駆動体１３の外側位置に支持軸２１を備え、この支持軸２１に比較的大きな絶縁カム１４を取り付けた構造になっている。これにより、スイッチユニット４の形状が大きくなり、全体の小型化を実現できない問題もある。
【００１３】
本発明は、上述した従来技術における実状からなされたもので、その目的は、違和感を生じないクリック感触が得られると共に、スイッチ部分の形状を小さくすることができるスイッチ付可変抵抗器を提供することにある。
【課題を解決するための手段】
【００１４】
この目的を達成するために、本発明は、固定部材と、この固定部材に対して回転可能に保持された回転軸を含む回転部材と、上記固定部材及び上記回転部材のいずれか一方に一体的に設けられ、複数の凹凸部から成る係合突起と、上記回転部材の回転末端近傍に相応する位置に配置される突起部とを有するクリック部材と、上記固定部材及び上記回転軸のいずれか他方に設けられ、上記クリック部材の上記係合突起及び上記突起部と係脱してクリック感触を生起させる膨出部を有するクリック用板ばねと、抵抗体パターンが形成された抵抗基板と、上記回転軸の回転によって上記抵抗基板の上記抵抗体パターン上を摺動する第１摺動子と、上記回転軸の上記回転末端近傍で、スイッチ切替動作を行なうロータリスイッチとを備え、上記ロータリスイッチは、固定接点が形成された接点基板と、上記回転軸の回転に伴って回転し、可動接点を形成する第２摺動子とを有し、上記回転軸を回転させると、上記第２摺動子が上記接点基板上を摺動してスイッチの切替えが行なわれると共に、上記クリック用板ばねの上記膨出部が上記クリック部材の上記係合突起、あるいは上記突起部に係脱してクリック感触が生起されるようにしたことを特徴としている。
【００１５】
このように構成した本発明は、回転軸が例えば回転末端等の初期位置にあるときには、ロータリスイッチの可動接点を形成する第２摺動子と接点基板の固定接点との接触状態によって、スイッチオンあるいはスイッチオフのいずれか一方の状態に保持されると共に、クリック用板ばねの膨出部がクリック部材の突起部、及び係合突起に係脱しない状態に保持される。
【００１６】
この状態から回転軸が順回転すると、ロータリスイッチがスイッチオンあるいはスイッチオフのいずれか他方の状態となると共に、クリック用板ばねの膨出部がクリック部材の突起部に係脱してロータリスイッチのスイッチ切替えに相応するクリック感触が得られる。
【００１７】
さらに回転軸が順回転すると、抵抗基板の抵抗体パターン上を第１摺動子が摺動することに伴って、回転軸の回転量に応じた信号が出力される。このように回転軸の回転量に応じた信号が出力される間、クリック用板ばねの膨出部が複数の凹凸部から成る係合突起に係脱し、上述の第１摺動子の摺動に伴う信号出力に相応するクリック感触が得られる。
【００１８】
一方、このように回転軸を順回転させている状態から初期位置に戻すために、回転軸を逆回転させ、回転末端近傍に至るとロータリスイッチは、スイッチオンあるいはスイッチオフのいずれか一方の状態となる。この間、クリック用板ばねの膨出部とクリック部材の複数の凹凸部から成る係合突起との係脱が終了し、クリック用板ばねの膨出部が再びクリック部材の突起部に係脱する。すなわち、ロータリスイッチのスイッチ切替え（復帰）に相応するクリック感触が得られる。
【００１９】
このように本発明は、膨出部を有するクリック用板ばねと、突起部及び係合突起を有するクリック部材とから成る単一のクリック機構による係脱動作だけでクリック感触を得るようにしてあるので、違和感を生じないクリック感触を確保できる。また、ロータリスイッチは回転軸の回転に伴って回転する第２摺動子の回転軌跡に相応する程度の形状に設定すればよいので、このロータリスイッチの形状を小さくすることができる。
【００２０】
また本発明は、上記発明において、上記クリック用板ばねは、上記係合突起に係脱する第１膨出部と、上記突起部に係脱する第２膨出部とを有する一枚の金属板から成ることを特徴としている。
【００２１】
このように構成した本発明は、第１膨出部と第２膨出部の形状を異ならせることができ、このように形状を異ならせた場合には、第１膨出部が係合突起と係脱する際のクリック感触と、第２膨出部が突起部に係脱する際のクリック感触、すなわち回転軸の回転末端近傍で動作するロータリスイッチのスイッチ切替え時のクリック感触とを変えることができ、ロータリスイッチのスイッチ切替え動作の認識性を向上させることができる。
【００２２】
また本発明は、上記発明において、上記第１膨出部が両端支持の第１弾性腕に設けられ、上記第２膨出部が両端支持の第２弾性腕に設けられると共に、上記第１膨出部と上記第２膨出部とを、上記回転軸を挟んで対向する位置に配置したことを特徴としている。
【００２３】
このように構成した本発明は、第１膨出部と第２膨出部とを回転軸を挟んで対向するように位置させたことから、クリック部材とクリック用板ばねとの間の接触圧のバランスを良好に保つことができ、これによって力関係の安定した構造が得られると共に、回転軸の円滑な回転を実現できる。
【００２４】
また本発明は、上記発明において、上記第２膨出部を上記第１膨出部よりも大きな形状に形成したことを特徴としている。
【００２５】
このように構成した本発明は、第２膨出部とクリック部材の突起部との係脱に伴うクリック感触を、第１膨出部とクリック部材の係合突起との係脱に伴うクリック感触に比べて大きくすることができる。すなわち、回転軸の回転末端近傍におけるロータリスイッチのスイッチ切替え動作時のクリック感触を大きくすることができ、このスイッチ切替え動作の認識性を一層向上させることができる。
【００２６】
また本発明は、上記発明において、上記係合突起を断面三角形状に形成し、上記突起部を断面台形形状に形成すると共に、上記第１膨出部を断面円弧状に形成し、上記第２膨出部を断面台形形状に形成したことを特徴としている。
【００２７】
このように構成した本発明は、回転軸の通常回転における第１膨出部と断面三角形状の係合突起との係脱によるクリック感触と、回転軸の回転末端近傍における第２膨出部と断面台形形状の突起部とのクリック感触とを明確に異ならせることができる。
【００２８】
また本発明は、上記発明において、上記複数の凹凸部から成る係合突起に連設させてこの係合突起の凸部よりも低い高さに設定される平坦状の裾部を備え、上記第２膨出部が上記突起部と係脱する間、上記第１膨出部が上記裾部上に位置するように設定したことを特徴としている。
【００２９】
このように構成した本発明は、回転軸の回転に伴って第２膨出部が突起部に係脱する際には、第１膨出部が係合突起の凸部よりも低い高さに設定された平坦状の裾部上に位置するので、第１膨出部の影響が低減されることとなり、第２膨出部と突起部との係脱によるクリック感触をメリハリのある明確なものとすることができる。すなわち、ロータリスイッチのスイッチ切替え動作時のクリック感触をより明確なものとすることができる。
【００３０】
また本発明は、上記発明において、上記第１膨出部と上記第２膨出部とを、上記回転軸の回転軸線から略同一半径上の位置に配置したことを特徴としている。
【００３１】
このように構成した本発明は、クリック用板ばねの形状を小さく設定でき、これに伴ってクリック部材の形状を小さく設定することができる。すなわち、ロータリスイッチの形状をより小さくすることができる。
【００３２】
また本発明は、上記発明において、上記抵抗基板と上記接点基板とをユニット化したことを特徴としている。
【００３３】
このように構成した本発明は、抵抗基板と接点基板とが一体的に設けられるので、第２摺動子の固定接点に接触することによるロータリスイッチの切替えと、第１摺動子が抵抗基板の抵抗体パターン上を摺動することによる信号出力とのタイミングを高精度に設定できる。
【発明の効果】
【００３４】
本発明は、クリック部材とクリック用板ばねから成る単一のクリック機構を備えたことから違和感を生じないクリック感触が得られ、クリック性能を従来に比べて向上させることができる。また、回転部材の回転に伴って回転する可動接点を形成する第２摺動子を有するロータリスイッチを備えたことから、従来のような絶縁カム等を要することがなく、このロータリスイッチの形状を小さくすることができる。これにより、従来では困難であった全体の小型化を実現させることができる。
【発明を実施するための最良の形態】
【００３５】
以下，本発明に係るスイッチ付可変抵抗器を実施するための最良の形態を図に基づいて説明する。
【００３６】
［本実施形態の基本構成］
図１は本発明のスイッチ付可変抵抗器の一実施形態を示す分解斜視図、図２は本実施形態の側断面図である。
【００３７】
これらの図１，２に示すように、本実施形態は、例えば対角線上に位置する隅部に第１取付孔５１ａ、第２取付孔５１ｂをそれぞれ有し、中央部分に円形状の軸孔５１ｃを形成するボス部５１ｆを有する固定部材、すなわち軸受５１と、軸部に断面が非円形状である断面小判形状の係合部５２ａを有すると共に、先端部近傍に小径部５２ｂを有し、軸受５１の軸孔５１ｃに挿入される回転軸５２とを備えている。
【００３８】
また、軸受５１のボス部５１ｆが挿通する挿通孔５３ｉを有し、例えば軸受５１に固定されるクリック部材５３を備えている。このクリック部材５３に対向させてクリック用板ばね５４を配置してあり、このクリック用板ばね５４を止め板５５に固定してある。なお、回転軸５２と止め板５５は回転部材を構成している。
【００３９】
また、中央部分に止め板５５の円弧状の突出部５５ａ，５５ｂを回転可能に保持する挿通孔５６ｃを有すると共に、対角線上に位置する部分に第１取付孔５６ａ、第２取付孔５６ｂを有し、軸受５１に固定される固定部材としての絶縁性のスペーサ５６を備えている。なお、このスペーサ５６には図示していないが、止め板５５と当接して、回転部材を構成する回転軸５２及び止め板５５の回転角度を規制するストッパが形成されている。
【００４０】
また、スペーサ５６に固定され、対角線上に位置する隅部に第１取付孔５７ａ、第２取付孔５７ｂを有し、中央部分に挿通孔５７ｃを有し、後述の集電体パターン及び抵抗体パターンが形成された抵抗基板が埋設された第１絶縁ケース５７を備えている。また、この第１絶縁ケース５７と対向するように、対角線上に位置する隅部に第１取付孔５９ａ、第２取付孔５９ｂを有し、中央部分に挿通孔５９ｃを有し、後述のように中央固定接点及び周辺固定接点が形成された基板部（接点基板部）を有する接点基板としての第２絶縁ケース５９を備えている。これらの第１絶縁ケース５７と第２絶縁ケース５９の間には、上述の止め板５５と嵌合して一体に回転可能であると共に、第１絶縁ケース５７の抵抗基板の集電体パターン、抵抗体パターン上を摺動する弾性腕５８ａ等から成る第１摺動子と、第２絶縁ケース５９の接点基板部の中央固定接点、周辺固定接点上を摺動する弾性腕５８ｄ等から成る第２摺動子を有する摺動子ブロック５８を配置してある。
【００４１】
また、上述の第２絶縁ケース５９に固定され、対角線上に位置する部分に第１取付孔６０ａ、第２取付孔６０ｂを有し、中央部分に穴部６０ｃを有するスペーサ６０を備えている。このスペーサ６０の穴部６０ｃ内には、カム体６１を軸方向に移動可能に収容させてある。カム体６１とスペーサ６０とはスプライン結合を介して接続させてある。すなわち、カム体６１は軸方向に移動可能であるものの、回転軸５２の回転方向には回転不能に係止されている。図２に示すように、回転軸５２の上述の小径部５２ｂは、カム体６１の中央部分に形成された孔部６１ａに回転可能に収容されている。
【００４２】
カム体６１の下側部分には図示しないが周知のハートカムが形成されている。また、このカム体６１の下方位置には、スペーサ６３を配置してあり、このスペーサ６３には、一端部６４ａがスペーサ６３に揺動可能に支持され、他端部６４ｂがカム体６１の上述のハートカムに係合するピン６４を取り付けてある。
【００４３】
また、スペーサ６０に固定され、第１取付孔６５ａ等の取付孔を有する第３絶縁ケース６５を備えている。この第３絶縁ケース６５内には、図２に示すように、上述のカム体６１と、このカム体６１をスペーサ６０に当接するように図示右方向へ付勢するばね６２と、ピン６４を保持するスペーサ６３とを収容させてある。同図２に示すように、ピン６４は板ばね６７によってカム体６１の図示しないハートカムに係合するように付勢されている。
【００４４】
上述した軸受５１、スペーサ５６、第１絶縁ケース５７、第２絶縁ケース５９、スペーサ６０、及び第３絶縁ケース６５は、第１リベット６６ａと第２リベット６６ｂとによって一体化されて固定部材を構成している。
【００４５】
すなわち、第１リベット６６ａが、第３絶縁ケース６５の第１取付孔６５ａ、スペーサ６０の第１取付孔６０ａ、第２絶縁ケース５９の第１取付孔５９ａ、第１絶縁ケース５７の第１取付孔５７ａ、スペーサ５６の第１取付孔５６ａ、及び軸受５１の第１取付孔５１ａに挿入される。また、第２リベット６６ｂが第３絶縁ケース６５の図示しない第２取付孔、スペーサ６０の第２取付孔６０ｂ、第２絶縁ケース５９の第２取付孔５９ｂ、第１絶縁ケース５７の第２取付孔５７ｂ、スペーサ５６の第２取付孔５６ｂ、及び軸受５１の第２取付孔５１ｂに挿入される。これらによって、上述のように全体が一体化された構造になっている。
【００４６】
［本実施形態の要部構成］
図３は本実施形態に備えられる軸受の背面図である。図４は本実施形態の要部を構成するクリック部材を示す図で、（ａ）図は平面図、（ｂ）図は左側面図、（ｃ）図は右側面図、（ｄ）図は裏面図、（ｅ）図は（ａ）図のＡ−Ａ断面拡大図、（ｆ）図は（ａ）図のＢ−Ｂ断面拡大図である。図５は本実施形態の要部を構成するクリック用板ばね及び止め板を示す図で、（ａ）図は平面図、（ｂ）図は右側面図、（ｃ）図は（ａ）図のＣ−Ｃ断面拡大図、（ｄ）図は（ａ）図のＤ−Ｄ断面拡大図である。
【００４７】
図３に示すように、軸受５１の背面側には、上述した第１取付孔５１ａ、第２取付孔５２ｂ、及び軸孔５１ｃを形成するボス部５１ｆの他に、上下方向に一対形成される第１凹部５１ｄと第２凹部５１ｅとを設けてある。
【００４８】
図４に示すように、クリック部材５３は、軸受５１に対向する側に第１突起５３ｇと第２突起５３ｈとを備えており、第１突起５３ｇが軸受５１の第１凹部５１ｄに嵌挿され、第２突起５３ｈが軸受５１の第２凹部５１ｅに嵌挿されることにより、このクリック部材５３は軸受５１に固定される。
【００４９】
また、このクリック部材５３は、図４の（ａ）図に示すように、複数の凹凸部から成る係合突起５３ａと、この係合突起５３ａから離れて設けられ、回転軸５２の回転末端近傍に相応する位置に配置される突起部５３ｂとを有している。図４の（ｅ）、（ｆ）図に示すように、係合突起５３ａは例えば断面三角形状に形成してあり、突起部５３ｂは例えば断面台形形状に形成してある。図４の（ａ）、（ｂ）図に示すように、係合突起５３ａの一方の端部側には、この係合突起５３ａに連設させてこの係合突起５３ａの凸部よりも低い高さ、例えば係合突起５３ａの凹部の高さと同じ高さに設定される平坦状の第１裾部５３ｅを形成してある。また、図４の（ａ）、（ｃ）図に示すように、係合突起５３ａの他方の端部側には、この係合突起５３ａに連設させてこの係合突起５３ａの凸部と同じ高さに設定される平坦状の第２裾部５３ｆを形成してある。
【００５０】
さらに、図４の（ａ）、（ｆ）図に示すように、突起部５３ｂと第２裾部５３ｆとの間に第１平坦部５３ｃを形成してあり、突起部５３ｂと第１裾部５３ｅとの間に第２平坦部５３ｄを形成してある。これらの第１平坦部５３ｃと第２平坦部５３ｄの高さは、例えば係合突起５３ａの凹部より高く、係合突起５３ａの凸部よりも低い高さに設定してある。
【００５１】
図５に示すように、上述したクリック部材５３に対向して配置されるクリック用板ばね５４は、クリック部材５３の係合突起５３ａに係脱してクリック感触を生起させる第１膨出部５４ｃと、クリック部材５３の突起部５３ｂに係脱してクリック感触を生起させる第２膨出部５４ｄとを有する一枚の金属板から成っている。
【００５２】
図５の（ａ）図に示すように、第１膨出部５４ｃは、両端支持の第１弾性腕５４ａに形成してあり、第２膨出部５４ｄは、両端支持の第２弾性腕５４ｂに形成してある。これらの第１膨出部５４ｃと第２膨出部５４ｄとは、挿入される回転軸５２を挟んで対向する位置に配置してある。さらに、第１膨出部５４ｃを図５の（ｃ）図に示すように、断面円弧状に形成してあると共に、第２膨出部５４ｄを図５の（ｄ）図に示すように、断面台形形状に形成してあり、例えば第２膨出部５４ｄを第１膨出部５４ｃよりも大きな形状に形成してある。また、第１膨出部５４ｃと第２膨出部５４ｄとを、例えば挿入される回転軸５２の回転軸線から略同一半径上の位置に配置してある。
【００５３】
回転軸５２が回転操作される前の初期位置にあっては、第１膨出部５４ｃが図４の（ａ）図に示す第１裾部５３ｅ上の点Ｓ１に位置し、第２膨出部５４ｄが図４の（ａ）図に示す第１平坦部５３ｃ上の点Ｓ２に位置するように、クリック部材５３とクリック用板ばね５４との位置関係を設定してある。
【００５４】
上述したクリック用板ばね５４は、図５の（ｂ）図に示すように、合成樹脂から成る止め板５５に固定してある。すなわち、止め板５５に形成した突部をクリック用板ばね５４に形成した孔に挿入させた状態で、突部を潰すことによってクリック用板ばね５４が固定されている。
【００５５】
止め板５５は、上述した突出部５５ａ，５５ｂを有すると共に、図５の（ａ）図に示すように、回転軸５２の係合部５２ａが係合する断面が係合部５２ａと同じ非円形状である断面小判形状の係合穴５５ｅを有している。そして、係合部５２ａと係合穴５５ｅとの係合によって、止め板５５は回転軸５２と一体的に回転する回転部材として構成されている。止め板５５の突出部５５ａ，５５ｂの外周面は、円筒面に形成してある。また、止め板５５の外周には、対向する一対の段部５５ｇ（図９参照）が設けられており、この段部５５ｇが上述したスペーサ５６のストッパ部と当接することにより、回転部材である回転軸５２や止め板５５の回転角度が規制されている。
【００５６】
上述したクリック部材５３と、クリック用板ばね５４と、このクリック用板ばね５４が固定される止め板５５とによって、クリック機構が構成されている。
【００５７】
図６は本実施形態の要部を構成する第１絶縁ケース、摺動子ブロック、及び第２絶縁ケースを示す分解斜視図、図７は図６の逆方向から見た分解斜視図である。図８は本実施形態の要部を構成する絶縁ケースを示す図で、（ａ）図は第１絶縁ケースを示す正面図、（ｂ）図は第２絶縁ケースを示す正面図である。
【００５８】
これらの図６〜８に示すように、上述したスペーサ５６に固定される第１絶縁ケース５７は、合成樹脂から成り、上述した第１取付孔５７ａ、第２取付孔５７ｂ、及び挿通孔５７ｃの他に、下側部分の隅部に形成された一対の突部、すなわち第１突部５７ｄと第２突部５７ｅ、及び上側部分の隅部に形成された一対の凹部、すなわち第１凹部５７ｆと第２凹部５７ｇとを備えている。
【００５９】
また、大径の円形孔５７ｊの底壁面が抵抗基板５７ｋを構成している。この抵抗基板５７ｋは、第１絶縁ケース５７にインサート成形により埋設されている。この抵抗基板５７ｋ上に、図８の（ａ）図に示すように、円環状の集電体パターン５７ｈと、この集電体パターン５７ｈを囲むように配置される抵抗体パターン５７ｉとを印刷形成してある。集電体パターン５７ｈ部分は、抵抗基板５７ｋに鳩目がしめすることによって端子５７ｈ１に接続させてあり、抵抗体パターン５７ｉの両端部は、抵抗基板５７ｋに鳩目がしめすることによって端子５７ｉ１，５７ｉ２のそれぞれに接続させてある。
【００６０】
また、上述したスペーサ６０に固定される第２絶縁ケース５９は、合成樹脂から成り、上述した第１取付孔５９ａ、第２取付孔５９ｂ、及び挿通孔５９ｃの他に、図７に示すように、下側部分の隅部に形成された一対の凹部、すなわち第１凹部５９ｈと第２凹部５９ｉ、及び上側部分の隅部に形成された一対の突部、すなわち第１突部５９ｄと第２突部５９ｅとを備えている。この第２絶縁ケース５９の第１凹部５９ｈ、第２凹部５９ｉのそれぞれに、第１絶縁ケース５７の第１突部５７ｄ、第２突部５７ｅのそれぞれを嵌入すると共に、第１絶縁ケース５７の第１凹部５７ｆ、第２凹部５７ｇのそれぞれに、第２絶縁ケース５９の第１突部５９ｄ、第２突部５９ｅのそれぞれを嵌入することにより、第１絶縁ケース５７と第２絶縁ケース５９とが、これらの間に摺動子ブロック５８が収納された状態で一体化されるようになっている。
【００６１】
また、接点基板である第２絶縁ケース５９は、図７に示すように、大形の円形孔５９ｊの底壁面が接点基板部（基板部）５９ｋを構成している。この接点基板部５９ｋは、第２絶縁ケース５９と同じ合成樹脂により形成されている。この接点基板部５９ｋの表面に図８の（ｂ）図に示すように、円環状の金属板から成る中央固定接点５９ｆと、この中央固定接点５９ｆの外側に配置され、金属板から成る周辺固定接点５９ｇとが第２絶縁ケース５９にインサート成形により埋設されることによって、露出して設けられている。なお、中央固定接点５９ｆの内径は、第２絶縁ケース５９の挿通孔５９ｃの径よりも大きく設定してあり、挿入された回転軸５２及び摺動子ブロック５８の後述する一対の突部５８ｇ，５８ｈが中央固定接点５９ｆの内周部分に接触しないようになっている。また、中央固定接点５９ｆ及び周辺固定接点５９ｇは、第２絶縁ケース５９の外部に延出される端子５９ｆ１，５９ｇ１にそれぞれ一体につながっている。
【００６２】
上述した第１絶縁ケース５７の円形孔５７ｊと第２絶縁ケース５９の円形孔５９ｊとによって形成される円筒空間内に配置される摺動子ブロック５８は、以下のように構成されている。
【００６３】
すなわち、この摺動子ブロック５８は、基体が合成樹脂から成り、図７に示すように第１絶縁ケース５７に対向する側に、弾性腕５８ａに形成され、第１絶縁ケース５７の抵抗基板５７ｋに設けられた抵抗体パターン５７ｉ上を摺動する接点５８ａ１と、弾性腕５８ｂ，５８ｃのそれぞれに形成され、抵抗基板５７ｋに設けられた集電体パターン５７ｈ上を摺動する接点５８ｂ１，５８ｃ１とを有している。弾性腕５８ａ，５８ｂ，５８ｃは一枚の金属板から成り、この摺動子ブロック５８の基体にインサート成形によって埋設されている。
【００６４】
上述した接点５８ａ１を有する弾性腕５８ａと、接点５８ｂ１を有する弾性腕５８ｂと、接点５８ｃ１を有する弾性腕５８ｃとによって、回転軸５２の回転によって第１絶縁ケース５７の抵抗基板５７ｋの抵抗体パターン５７ｉ、集電体パターン５７ｈ上を摺動する第１摺動子が構成されている。
【００６５】
また、この摺動子ブロック５８は、図６に示すように、第２絶縁ケース５９に対向する側に、弾性腕５８ｄに形成され、第２絶縁ケース５９の接点基板部５９ｋに設けられた周辺固定接点５９ｇと接離する接点５８ｄ１と、弾性腕５８ｅ，５８ｆのそれぞれに形成され、第２絶縁ケース５９の接点基板部５９ｋに設けられた中央固定接点５９ｆに常時接触する接点５８ｅ１，５８ｆ１とを有している。弾性腕５８ｄ，５８ｅ，５８ｆは一枚の金属板から成り、この金属板に形成された孔に、摺動子ブロック５８の基体に設けた突起が挿入された状態で、その突起を潰して固定部５８ｍ，５８ｎとすることにより、弾性腕５８ｄ，５８ｅ，５８ｆを含む金属板が固定されている（図９参照）。
【００６６】
上述した接点５８ｄ１を有する弾性腕５８ｄと、接点５８ｅ１を有する弾性腕５８ｅと、接点５８ｆ１を有する弾性腕５８ｆとによって、回転軸５２の回転に伴って回転し、可動接点を形成する第２摺動子が構成されている。
【００６７】
また、摺動子ブロック５８は、図７に示すように、第１絶縁ケース５７に対向する側に突出する一対の突部５８ｉ，５８ｊを備えると共に、図６に示すように、第２絶縁ケース５９に対向する側に突出する一対の突部５８ｇ，５８ｈを備えている。これらの突部５８ｇ，５８ｈ，５８ｉ，５８ｊの外周面は円筒面に形成されており、回転可能な軸部を構成している。なお、上述した突部５８ｇ，５８ｈは、第２絶縁ケース５９の挿通孔５９ｃに回転可能に保持されるようになっている。また、摺動子ブロック５８の中央部分には、回転軸５２が挿通される挿通孔５８ｐが形成されている。
【００６８】
上述した集電体パターン５７ｈ及び抵抗体パターン５７ｉを有する第１絶縁ケース５７の抵抗基板５７ｋと、摺動子ブロック５８の上述した第１摺動子とによって抵抗器ユニットが構成されている。
【００６９】
また、上述した中央固定接点５９ｆ及び周辺固定接点５９ｇを有する接点基板である第２絶縁ケース５９と、摺動子ブロック５８の上述した第２摺動子とによってスイッチユニット、すなわちロータリスイッチが構成されている。
【００７０】
図９は本実施形態の要部を構成するクリック用板ばねが固定された止め板、及び摺動子ブロックを示す分解斜視図、図１０は図９の逆方向から見た分解斜視図である。
【００７１】
図１０に示すように、摺動子ブロック５８の第１絶縁ケース５７側に位置する上述の突部５８ｉ，５８ｊ間には、上側に幅寸法の大きい凹部５８ｋを形成してあり、下側に凹部５８ｋよりも幅寸法の小さい凹部５８ｌを形成してある。これに対応させて、図９に示すように、止め板５５に形成される上述の突出部５５ａ，５５ｂは、突出部５５ａが摺動子ブロック５８の凹部５８ｋに適合する大きな幅寸法（周方向寸法）に設定され、突出部５５ｂが凹部５８ｌに適合する小さな幅寸法に設定されている。
【００７２】
止め板５５の突出部５５ａを摺動子ブロック５８の凹部５８ｋに嵌入させ、突出部５５ｂを凹部５８ｌに嵌入させることにより、回転軸５２の回転に伴って止め板５５と摺動子ブロック５８とが一体に回転するようになっている。すなわち、止め板５５の突出部５５ａ，５５ｂと摺動子ブロック５８の突部５８ｉ，５８ｊとによって、外周面が円筒面から成る一つの回転軸部が構成されることとなり、この回転軸部が第１絶縁ケース５７の挿通孔５７ｃやスペーサ５６の挿通孔５６ｃに挿通されて回転可能に保持されている。
【００７３】
なお、上述のように止め板５５の突出部５５ａと突出部５５ｂの幅寸法を異ならせると共に、摺動子ブロック５８の凹部５８ｋと凹部５８ｌの幅寸法を異ならせることにより、止め板５５と摺動子ブロック５８相互間の誤挿入が防止されるようになっている。
【００７４】
また上述したように、止め板５５の基体に形成された突部を潰すことにより、クリック用板ばね５４を止め板５５に固定する固定部５５ｃ，５５ｄが形成されている。
【００７５】
また本実施形態は、図９に示すように、摺動子ブロック５８の第２絶縁ケース５９側に位置する部分には、弾性腕５８ｄ，５８ｅ，５８ｆの所定量以上の撓み変形を規制すると共に、この摺動子ブロック５８と第２絶縁ケース５９との位置決めに用いられる段部５８ｑ，５８ｒを形成してある。同様に、図１０に示すように、摺動子ブロック５８の第１絶縁ケース５７側に位置する部分には、弾性腕５８ａ，５８ｂ，５８ｃの所定量以上の撓み変形を規制すると共に、この摺動子ブロック５８と第１絶縁ケース５７との位置決めに用いられる段部５８ｓ等を形成してある。なお、図１０に示すように、クリック用板ばね５４の中央部分には、軸受５１のボス部５１ｆよりも大きな貫通孔５４ｅが設けられており、クリック用板ばね５４とボス部５１ｆとが当接しないようになっているとともに、この貫通孔５４ｅに回転軸５２が挿通されている。
【００７６】
［本実施形態の動作］
上述した図２は、回転軸５２が軸受５１から延出されている状態を示しているが、回転軸５２の回転操作が行なわれないときなどにあっては、図２に示す状態からこの回転軸５２を押し込む操作が行なわれる。
【００７７】
この回転軸５２の押し込み操作によって、ばね６２の付勢力に抗してカム体６１が同図２の左方向に移動し、このカム体６１の下側部分に設けた図示しないハートカムが移動する。これによってピン６４の他端部６４ｂがハートカム上を相対的に摺動する。回転軸５２が所定位置まで押しこまれ、これに伴ってカム体６１が所定量移動したとき、ハートカムに形成されたロック部にピン６４の他端部６４ｂが係止され、カム体６１及び回転軸５２は奥側に引っ込んだ形態でロック状態となる。すなわち、図２に示す回転軸５２は、この図２に示す状態よりも奥側へ押し込まれた状態で静止する。回転軸５２の不使用時には、このように回転軸５２を他の操作等の邪魔にならないように引っ込めておくことができる。
【００７８】
このような状態から、回転軸５２を突出させて、この回転軸５２の回転操作を行なおうとする場合には、回転軸５２が一旦奥側に押し込まれる。すなわち、プッシュ・プッシュ操作がなされる。これによって、ハートカムのロック部とピン６４の他端部６４ｂとの係止が解かれ、ロック解除状態となる。したがって、回転軸５２に与えていた押し込み力を緩めると、ばね６２の付勢力によってカム体６１はスペーサ６０方向に移動し、これと一体に回転軸５２が軸受５１から突出する方向に移動し、上述した図２に示す状態に復帰する。
【００７９】
例えば、このように回転軸５２が軸受５１から延出されている図２に示す状態にあって、図２を右側から見て、回転軸５２を正面視した場合において、回転軸５２を時計回り方向に末端まで回転させた状態を仮に初期位置とする。このような回転軸５２が回転操作される前の初期位置にあるときには、図６等に示すロータリスイッチの可動接点を形成する第２摺動子に含まれる接点５８ｄ１が、第２絶縁ケース５９の接点基板部５９ｋの周辺固定接点５９ｇに接触した位置に保たれ、接点５８ｅ１，５８ｆ１が中央固定接点５９ｆに接触した状態に保たれる。すなわち、中央固定接点５９ｆと周辺固定接点５９ｇとが導通したスイッチオンの状態となっている。
【００８０】
また、図７等に示す抵抗器ユニットを構成する第１摺動子に含まれる接点５８ａ１は、第１絶縁ケース５７の抵抗体パターン５７ｉ上に位置し、接点５８ｂ１，５８ｃ１は集電体パターン５７ｈ上に位置している。
【００８１】
さらに、クリック機構を構成する図５に示すクリック用板ばね５４の第１膨出部５４ｃは、図４の（ａ）図に示すクリック部材５３の第１裾部５３ｅ上の点Ｓ１に位置し、第２膨出部５４ｄはクリック部材５３の第１平坦部５３ｃ上の点Ｓ２に位置している。すなわち、第１膨出部５４ｃが係合突起５３ａに係脱しない状態に保たれ、第２膨出部５４ｄが突起部５３ｂに係脱しない状態に保たれている。
【００８２】
このような状態から回転軸５２を正面視して、回転軸５２を反時計回り方向に順回転させると、その回転力が回転軸５２の係合部５２ａを介して止め板５５の回転力として伝えられ、回転軸５２と一体に止め板５５が回転すると共に、この止め板５５の図９に示す突出部５５ａ，５５ｂと、図１０に示す摺動子ブロック５８の凹部５８ｋ，５８ｌとの嵌合関係を介して摺動子ブロック５８も回転軸５２と一体に回転する。すなわち、クリック機構の第１膨出部５４ｃ、第２膨出部５４ｄを含むクリック用板ばね５４と、接点５８ａ１，５８ｂ１，５８ｃ１を含む抵抗器ユニットの第１摺動子と、接点５８ｄ１，５８ｅ１，５８ｆ１を含むロータリスイッチの可動接点である第２摺動子とが、回転軸５２の回転と一体的に回転する。
【００８３】
そして例えば、回転軸５２をわずかに回転させた際に、ロータリスイッチの接点５８ｄ１が第２絶縁ケース５９の接点基板部５９ｋの周辺固定接点５９ｇから離れ、これにより中央固定接点５９ｆと周辺固定接点５９ｇとが非導通となり、端子５９ｆ１，５９ｇ１を介してスイッチオフの信号が出力される。
【００８４】
さらに、回転軸５２を回転させると、抵抗器ユニットの図７に示す接点５８ａ１が図８に示す第１絶縁ケース５７の抵抗基板５７ｋの抵抗体パターン５７ｉ上を摺動し、図８に示す端子５７ｈ１を介して、回転軸５２の回転量に応じた信号が出力される。
【００８５】
上述のように、回転軸５２が回転操作されてロータリスイッチがオフに切替えられたときに、すなわち回転軸５２の回転末端近傍において、第１クリック感触が得られ、さらに、回転軸５２が順回転して抵抗器ユニットから信号が出力される間に、例えば第１クリック感触とは異なる第２クリック感触が得られる。
【００８６】
すなわち、ロータリスイッチがオンからオフに切替えられる際に、回転軸５２の回転によって図５の（ａ）、（ｄ）図に示すクリック用板ばね５４の第２膨出部５４ｄが、図４の（ａ）図に示すクリック部材５３の第１平坦部５３ｃから、同図４の（ａ）図の時計回り方向に摺動して突起部５３ｂに係脱し、第２平坦部５３ｄ上に至る。この第２膨出部５４ｄと突起部５３ｂとの係脱によって上述した第１クリック感触が得られる。なお、このように第２膨出部５４ｄと突起部５３ｂとが係脱する間、図５の（ａ）、（ｃ）図に示すクリック用板ばね５４の第１膨出部５４ｃは、図４の（ａ）図に示すクリック部材５３の平坦な第１裾部５３ｅ上を摺動する。
【００８７】
さらに、回転軸５２が回転すると、クリック用板ばね５４の第１膨出部５４ｃが図４の（ａ）図に示す複数の凹凸部から成る係合突起５３ａに係脱し、上述した第２クリック感触が得られる。なお、このように第１膨出部５４ｃと係合突起５３ａとが係脱する間、クリック用板ばね５４の第２膨出部５４ｄは図４の（ａ）図に示すクリック部材５３の第２平坦部５３ｄ上を摺動する。
【００８８】
一方、上述のように回転軸５２を順回転させている状態から、初期位置に戻すために、回転軸５２を逆回転させ、回転末端近傍に至ると、ロータリスイッチの第２摺動子に含まれる図６に示す接点５８ｄ１が図８の（ｂ）図に示す周辺固定接点５９ｇに接触し、スイッチオンに切替えられる。このとき、クリック用板ばね５４の第２膨出部５４ｄが図４の（ａ）図に示す第２平坦部５３ｄから同図４の（ａ）図の反時計回り方向に摺動して突起部５３ｂに係脱し、さらに第１平坦部５３ｃ上に至る。この第２膨出部５４ｄと突起部５３ｂとの係脱によって再び上述した第１クリック感触が得られる。
【００８９】
以上のように本実施形態では、回転軸５２を回転させることにより、ロータリスイッチのオン・オフの切替えを行なうことができ、また、抵抗器ユニットから回転軸５２の回転量に応じた信号を出力させることができる。さらに、クリック機構によりロータリスイッチのオン・オフ切替え時の第１クリック感触と、ロータリスイッチのスイッチオフの状態における回転軸５２の回転に伴う第２クリック感触とを得ることができる。
【００９０】
［本実施形態の効果］
このように構成した本実施形態は、第１弾性腕５４ａに形成した第１膨出部５４ｃ、及び第２弾性腕５４ｂに形成した第２膨出部５４ｄを有するクリック用板ばね５４と、複数の凹凸部から成る係合突起５３ａ、及び突起部５３ｂを有するクリック部材５３とから成る単一のクリック機構による係脱動作だけでクリック感触を得るようにしてあるので、違和感を生じないクリック感触を確保でき、優れたクリック性能が得られる。また、ロータリスイッチは回転軸５２の回転に伴って回転する第２摺動子に含まれる弾性腕５８ｄの接点５８ｄ１の回転軌跡に相応する程度の形状に設定すればよく、このような回転軌跡の外側にカム等の別部材を要することがないので、このロータリスイッチの形状を小さくすることができる。これによって、全体の小型化を実現できる。
【００９１】
また本実施形態は、一枚の金属板から成るクリック用板ばね５４が、第１膨出部５４ｃと第２膨出部５４ｄを有するので、第１膨出部５４ｃが係合突起５３ａと係脱する際のクリック感触と、第２膨出部５４ｄが突起部５３ｂに係脱する際のクリック感触、すなわち回転軸５２の回転末端近傍で動作するロータリスイッチのスイッチ切替え動作時のクリック感触とを異ならせることができ、ロータリスイッチ切替え動作の認識性を向上させることができる。
【００９２】
すなわち本実施形態は、クリック部材５３の係合突起５３ａを断面三角形状に形成し、突起部５３ｂを断面台形形状に形成すると共に、クリック用板ばね５４の第１膨出部５４ｃを断面円弧状に形成し、第２膨出部５４ｄを断面台形形状に形成してあるので、第１膨出部５４ｃと断面三角形状の係合突起５３ａとの係脱によるクリック感触と、回転軸５２の回転末端近傍における第２膨出部５４ｄと断面台形形状の突起部５３ｂとのクリック感触とを明確に異ならせることができる。
【００９３】
また、クリック用板ばね５４の第２膨出部５４ｄを第１膨出部５４ｃよりも大きな形状に形成してあることから、第２膨出部５４ｄとクリック部材５３の突起部５３ｂとの係脱に伴うクリック感触を、第１膨出部５４ｃとクリック部材５３の係合突起５３ａとの係脱に伴うクリック感触に比べて大きくすることができる。すなわち、回転軸５２の回転末端近傍におけるロータリスイッチのスイッチ切替え時のクリック感触を大きくすることができ、このスイッチ切替え動作の認識性を一層向上させることができる。
【００９４】
また、回転軸５２の回転に伴ってクリック用板ばね５４の第２膨出部５４ｄが突起部５３ｂに係脱する際には、第１膨出部５４ｃが係合突起５３の凸部よりも低い高さに設定された平坦状の第１裾部５３ｅ上に位置するので、第１膨出部５４ｃの弾性変形量が小さくなって、第１膨出部５４ｃが第１裾部５３ｅを摺動することによる摩擦力が小さくなる。このため、第１裾部５３ｅが高い場合に比べて第１膨出部５４ｃの影響が低減されることとなるため、第２膨出部５４ｄと突起部５３ｂとの係脱によるクリック感触をメリハリのついた明確なものとすることができる。すなわち、ロータリスイッチのスイッチ切替え時のクリック感触を明確なものとすることができる。
【００９５】
また、本実施形態は、クリック用板ばね５４の第１膨出部５４ｃと第２膨出部５４ｄとを、回転軸５２の回転軸線から略同一半径上の位置に配置してあることから、クリック用板ばね５４の形状を小さく設定でき、これに伴ってクリック部材５３の形状を小さくすることができる。すなわち、ロータリスイッチの形状をより小さくすることができる。
【００９６】
また、クリック用板ばね５４の第１膨出部５４ｃと第２膨出部５４ｄとを、回転軸５２を挟んで対向する位置に配置したことから、クリック部材５３とクリック用板ばね５４との間の接触圧のバランスを良好に保つことができ、これによって力関係の安定した構造が得られ、耐久性を向上させることができる。また、回転軸５２の円滑な回転を実現でき、優れた操作性を確保できる。
【００９７】
また、本実施形態は、摺動子ブロック５８を収納するように第１絶縁ケース５７と第２絶縁ケース５９とを一体化してあり、すなわち第１絶縁ケース５７に埋設される抵抗基板５７ｋと接点基板である第２絶縁ケース５９とをユニット化した構成にしてあるので、第２摺動子に含まれる接点５８ｄ１が第２絶縁ケース５９の周辺固定接点５９ｇに接離することによるロータリスイッチの切替えと、第１摺動子に含まれる接点５８ａ１が抵抗基板５７ｋの抵抗体パターン５７ｉ上を摺動することによる信号出力とのタイミングを高精度に設定でき、これにより優れた出力性能が得られる。
【００９８】
［他の実施形態］
上記実施形態は、クリック機構を構成するクリック部材５３を固定部材である軸受５１に固定し、このクリック部材５３の係合突起５３ａ、突起部５３ｂにそれぞれ係脱する第１膨出部５４ｃ、第２膨出部５４ｄを有するクリック用板ばね５４を、回転軸５２の回転に伴って回転させるように構成してあるが、本発明は、このように構成することには限られない。クリック用板ばね５４を固定部材に固定し、クリック部材５３を回転軸５２の回転に伴って回転させる構成にしてもよい。
【００９９】
また、回転軸５２のプッシュロック機構のない場合には、止め板５５を省略して、回転部材である回転軸５２に直接、クリック用板ばねやクリック部材を設けることができる。
【０１００】
さらに、固定部材を構成するスペーサ５６や第１絶縁ケース５７等にクリック部材等のクリック機構を構成する部材を一体的に設けてもよい。
【０１０１】
また、上記実施形態においては、回転末端でロータリスイッチがオンとなるもので説明したが、これに限られず、回転末端でオフとなるものでもよい。
【図面の簡単な説明】
【０１０２】
【図１】本発明のスイッチ付可変抵抗器の一実施形態を示す分解斜視図である。
【図２】本実施形態の側断面図である。
【図３】本実施形態に備えられる軸受の背面図である。
【図４】本実施形態の要部を構成するクリック部材を示す図で、（ａ）図は平面図、（ｂ）図は左側面図、（ｃ）図は右側面図、（ｄ）図は裏面図、（ｅ）図は（ａ）図のＡ−Ａ断面拡大図、（ｆ）図は（ａ）図のＢ−Ｂ断面拡大図である。
【図５】本実施形態の要部を構成するクリック用板ばね及び止め板を示す図で、（ａ）図は平面図、（ｂ）図は右側面図、（ｃ）図は（ａ）図のＣ−Ｃ断面拡大図、（ｄ）図は（ａ）図のＤ−Ｄ断面拡大図である。
【図６】本実施形態の要部を構成する第１絶縁ケース、摺動子ブロック、及び第２絶縁ケースを示す分解斜視図である。
【図７】図６の逆方向から見た分解斜視図である。
【図８】本実施形態の要部を構成する絶縁ケースを示す図で、（ａ）図は第１絶縁ケースを示す正面図、（ｂ）図は第２絶縁ケースを示す正面図である。
【図９】本実施形態の要部を構成するクリック用板ばねが固定された止め板、及び摺動子ブロックを示す分解斜視図である。
【図１０】図９の逆方向から見た分解斜視図である。
【図１１】従来のスイッチ付可変抵抗器の一例を示す側断面図である。
【図１２】図１１に示すスイッチ付可変抵抗器に備えられるスイッチユニットを示す平面図である。
【図１３】図１１に示すスイッチ付可変抵抗器に備えられるクリック板を示す平面図である。
【図１４】図１１に示すスイッチ付可変抵抗器に備えられるクリック機構の動作説明図である。
【符号の説明】
【０１０３】
５１    軸受（固定部材）
５１ｃ  軸孔
５２    回転軸（回転部材）
５２ａ  係合部
５３    クリック部材
５３ａ  係合突起
５３ｂ  突起部
５３ｅ  第１裾部
５４    クリック用板ばね
５４ａ  第１弾性腕
５４ｂ  第２弾性腕
５４ｃ  第１膨出部
５４ｄ  第２膨出部
５５    止め板（回転部材）
５５ｅ  係合穴
５６    スペーサ（固定部材）
５７    第１絶縁ケース
５７ｈ  集電体パターン
５７ｈ１  端子
５７ｉ  抵抗体パターン
５７ｉ１  端子
５７ｉ２  端子
５７ｋ  抵抗基板
５８    摺動子ブロック
５８ａ  弾性腕（第１摺動子）
５８ａ１  接点
５８ｂ  弾性腕（第１摺動子）
５８ｂ１  接点
５８ｃ  弾性腕（第１摺動子）
５８ｃ１  接点
５８ｄ  弾性腕（第２摺動子）
５８ｄ１  接点
５８ｅ  弾性腕（第２摺動子）
５８ｅ１  接点
５８ｆ  弾性腕（第２摺動子）
５８ｆ１  接点
５９    第２絶縁ケース（接点基板）
５９ｆ  中央固定接点
５９ｆ１  端子
５９ｇ  周辺固定接点
５９ｇ１  端子
５９ｋ  接点基板部（基板部）
【図１】
2006186061.tif 000003
【図２】
2006186061.tif 000004
【図３】
2006186061.tif 000005
【図４】
2006186061.tif 000006
【図５】
2006186061.tif 000007
【図６】
2006186061.tif 000008
【図７】
2006186061.tif 000009
【図８】
2006186061.tif 000010
【図９】
2006186061.tif 000011
【図１０】
2006186061.tif 000012
【図１１】
2006186061.tif 000013
【図１２】
2006186061.tif 000014
【図１３】
2006186061.tif 000015
【図１４】
2006186061.tif 000016